(57)【要約】【課題】前面枠を本体枠側に閉じて施錠する際、従来に比べ極めて小さい力で施錠することができ、鉤部材または受け金具の当接面の摩耗を低減することができるゲーム機の施錠装置を提供する。【解決手段】基枠体１の内側に連結杆４が摺動可能に配設され、支持板３の上部と下部に鉤部材５，６が傾動可能に枢支され、連結杆４の上端と下端が鉤部材５，６に連結される。連結杆に鉤部材を施錠側に付勢するばね部材が装着され、シリンダ錠１４の錠軸に取付られたカム板が連結杆に係合可能に配設される。連結杆４には鉤部材５，６の傾動時に移動した連結杆４を基枠体１に対し係止して鉤部材５，６を傾動状態に保持する傾動保持部材１６が揺動可能に枢支される。前面枠３１を本体枠３０に対し閉じたとき、傾動保持部材１６の一部が本体枠側の当接部３６に接触して回動し、連結杆４の係止を解除する。【選択図】図７
2006042855.tif 000002
【特許請求の範囲】
【請求項１】
取付板と支持板とを有する基枠体の内側に連結杆が摺動可能に配設され、該支持板の上部と下部に鉤部材が傾動可能に枢支され、該連結杆の上端と下端が上下の該鉤部材に連結され、該連結杆に該鉤部材を施錠側に付勢するばね部材が装着され、該取付板の中間部にシリンダ錠が固定され、該シリンダ錠の錠軸に取付られたカム板が該連結杆に係合可能に配設され、ゲーム機の前面枠の内側に該基枠体が縦に固定され、ゲーム機の本体枠内に固定された受け金具に該鉤部材が係止されて前面枠を施錠するゲーム機の施錠装置において、
該連結杆には、該鉤部材の傾動時に移動した該連結杆を該基枠体に対し係止させて、該鉤部材を傾動状態に保持する傾動保持部材が揺動可能に枢支され、該前面枠を本体枠に対し閉じたとき、該傾動保持部材の一部が本体枠側の当接部に接触して回動し、該連結杆の係止を解除することを特徴とするゲーム機の施錠装置。
【請求項２】
前記傾動保持部材には前記基枠体の一部に設けた係止部に係合して係止される係合部が設けられ、該傾動保持部材を係止側に付勢するばね部材が設けられたことを特徴とする請求項１記載のゲーム機の施錠装置。
【請求項３】
前記基枠体には、前記連結杆が解錠位置に移動した際、該連結杆の一部を検知して信号を発生し、解錠動作を検出する検出スイッチが取り付けられたことを特徴とする請求項１記載のゲーム機の施錠装置。
【発明の詳細な説明】
【技術分野】
【０００１】
本発明は、スロットマシン、パチンコ機等のゲーム機の前面枠（前扉）を、本体枠（筐体）に対し施錠するゲーム機の施錠装置に関し、特に基枠体の上部と下部に鉤部材を傾動可能に枢支し、上下の鉤部材を連結する連結杆を基枠体に摺動可能に配設し、シリンダ錠の錠軸に固定したカム板の回動により連結杆を摺動させ、鉤部材を傾動させて解錠する施錠装置に関する。
【背景技術】
【０００２】
従来、この種のゲーム機の施錠装置として、基枠体の内側に連結杆が摺動可能に配設され、基枠体の支持板の上部と下部に鉤部材が、連結杆に連結されて傾動可能に枢支され、基枠体の取付板の中間部に、シリンダ錠がその錠軸を取付板に設けた孔から内側に差し込むように固定され、錠軸の先端に連結杆と係合するカム板が取り付けられた構成の施錠装置が、下記特許文献１などで知られている。
【０００３】
この種の施錠装置では、連結杆と基枠体または他の部材との間に、連結杆つまり鉤部材を施錠方向に付勢するばね部材が装着され、鉤部材はフリーの状態で、そのばね部材のばね力により施錠側に付勢され、施錠姿勢を保持している。一方、本体枠側には、鉤部材が係止される受け金具が取り付けられ、前面枠を閉じた際、鉤部材の傾斜面が受け金具に当たり、その閉鎖力によって鉤部材がばね部材のばね力に抗して一旦解錠側に傾動し、鉤部材の凹部が受け金具の係止部に係合したとき、ばね力により鉤部材が施錠姿勢に戻り、施錠状態となる。
【特許文献１】実開昭６０−２５８５号公報
【発明の開示】
【発明が解決しようとする課題】
【０００４】
しかし、この種のゲーム機用施錠装置で使用される施錠用のばね部材つまり連結杆を施錠側に付勢するばね部材は、鉤部材を受け金具に係止させて施錠状態を保持するためのばねであるため、かなり大きいばね力をもったばね部材（通常コイルばね）が使用されている。
【０００５】
然るに、前面枠を閉じて施錠する際、本体枠側の受け金具に当たった鉤部材が、このばね部材のばね力に抗して一旦解錠側に傾動し、その後、そのばね力により鉤部材が施錠姿勢に戻るように回動して施錠状態となるため、前面枠を本体枠側に閉じる際、ある程度の抵抗が生じ、ばね部材のばね力に打ち勝って連結杆を摺動させ得る力で前面枠を閉じる必要があった。
【０００６】
このように、閉じる際に抵抗力が生じるため、軽い力で前面枠を閉じた場合には、鉤部材を受け金具に係止することができない、つまり施錠することができないという課題があった。また、前面枠を閉じて施錠する際、鉤部材の先端の傾斜面と受け金具間にばね力による荷重が印加され、その間に少なからず摩擦力が生じて、鉤部材の傾斜面と受け金具の当接面が摩耗しやすいという課題があった。
【０００７】
本発明は、上記の点に鑑みてなされたもので、前面枠を本体枠側に閉じて施錠する際、従来に比べ極めて小さい力で施錠することができ、鉤部材または受け金具の当接面の摩耗を低減することができるゲーム機の施錠装置を提供することを目的とする。
【課題を解決するための手段】
【０００８】
上記目的を達成するために、本発明のゲーム機の施錠装置は、取付板と支持板とを有する基枠体の内側に連結杆が摺動可能に配設され、支持板の上部と下部に鉤部材が傾動可能に枢支され、連結杆の上端と下端が上下の鉤部材に連結され、連結杆に鉤部材を施錠側に付勢するばね部材が装着され、取付板の中間部にシリンダ錠が固定され、シリンダ錠の錠軸に取付られたカム板が連結杆に係合可能に配設され、ゲーム機の前面枠の内側に基枠体が縦に固定され、ゲーム機の本体枠内に固定された受け金具に鉤部材が係止されて前面枠を施錠するゲーム機の施錠装置において、連結杆には鉤部材の傾動時に移動した連結杆を基枠体に対し係止して鉤部材を傾動状態に保持する傾動保持部材が揺動可能に枢支され、前面枠を本体枠に対し閉じたとき、傾動保持部材の一部が本体枠側の当接部に接触して回動し、連結杆の係止を解除することを特徴とする。
【０００９】
ここで、上記傾動保持部材には基枠体の一部に設けた係止部に係合して係止される係合部を設けると共に、傾動保持部材を係止側に付勢するばね部材を設けることが好ましい。また、上記基枠体には、連結杆が解錠位置に移動した際、連結杆の一部を検知して信号を発生し、解錠動作を検出するための検出スイッチを取り付けることができる。
【発明の効果】
【００１０】
このような構成の施錠装置では、施錠された状態の前面枠を解錠する場合、キーによりシリンダ錠の錠軸を回し、カム板を回動させ、それによって、連結杆を解錠方向に摺動させて上下の鉤部材を傾動させる。このとき、鉤部材は傾動して受け金具との係合が解除され、解錠状態となり、前面枠は開放されるが、鉤部材が傾動して解錠位置に摺動した連結杆は、その位置で傾動保持部材によって基枠体に対し係止され、鉤部材は傾動姿勢つまり解錠姿勢を保持した状態で静止する。
【００１１】
一方、このような解錠・開放状態の前面枠を、本体枠に対して閉じると、先ず、傾動保持部材の一部が本体枠側の当接部に接触し、このとき、傾動保持部材が僅かに回動して、傾動保持部材の基枠体に対する係止が外れる。そして、連結杆がばね部材のばね力により施錠位置に摺動し、これにより、傾動姿勢にある上下の鉤部材が施錠側に回動して、鉤部材が施錠状態となり、本体枠側の受け金具に係止され、前面枠が施錠される。
【００１２】
このように、前面枠を閉じて施錠する際、鉤部材が傾動姿勢を保持した状態で、前面枠が閉鎖されるが、そのときに傾動保持部材が本体枠側の当接部に接触すると、その基枠体に対する係止が解除される。これによって、連結杆はばね部材のばね力により施錠方向に移動して鉤部材が施錠側に傾動し、受け金具に係止され、施錠状態となるから、従来の施錠装置のように、鉤部材の傾斜面が受け金具に当接したとき、連結杆を施錠側に付勢する強力なばね力に抗して鉤部材が受け金具を押して傾動するときの抵抗がなくなり、非常に僅かな力で、前面枠を閉じて施錠することができる。これにより、鉤部材と受け金具との間に従来のような大きな摩擦力は生じず、鉤部材または受け金具の摩耗を低減することができる。
【００１３】
さらに、基枠体上に解錠・施錠状態を検出するための検出スイッチを設け、摺動する連結杆の一部を検知して施錠状態と解錠状態を検出する場合、キーを用いてシリンダ錠を解錠操作し、キーに加えた回動操作力をなくしてシリンダ錠を元の復帰位置に戻した場合でも、解錠位置に移動した連結杆はその状態を傾動保持部材により保持されるため、検出スイッチは、前面枠が開放されている間、連結杆の解錠姿勢を検出する信号を出し続けることができる。
【００１４】
このため、従来のように、キーによりシリンダ錠の錠軸を回動して解錠した後、キーの回動操作力をなくした際に、連結杆がばね力により元の状態（施錠状態）に復帰することがなく、前面枠が解錠され開放されている間は、検出スイッチが連結杆の解錠姿勢を検出する信号を出し続けることができる。これにより、検出スイッチからの検出信号を入力する管理用コンピュータなどは、ゲーム機の前面枠が解錠され開放された状態を正確に認識することができる。
【発明を実施するための最良の形態】
【００１５】
以下、本発明の実施の形態を図面に基づいて説明する。図１〜図４はゲーム機用施錠装置の正面図、左右側面図、及び背面図を示し、図５は分解右側面図を示し、図６は連結杆４と傾動保持部材１６の分解側面図を示している。この施錠装置は、金属板をプレス加工して形成された縦長の基枠体１を有し、基枠体１は略断面Ｌ形に曲折された取付板２と支持板３を持ち、取付板２の反支持板側の端部は短い幅で外側に長手方向に沿って曲折され、取付板２にはシリンダ錠１４の取付用の孔と複数の固定孔が穿設されている。
【００１６】
取付板２に対し略直角に曲折された支持板３の上部と下部近傍に幅広部が形成され、その部分に、フック状に形成された鉤部材５、６が枢軸７、８により回動可能に軸支されている。鉛直状態とした支持板３に対し、上下の鉤部材５，６は、各々略水平横方向に突出した状態で停止し、且つその状態から下側に回動可能に、枢軸６、７によって枢支されている。さらに、基枠体１の支持板３の内側に沿って帯状の連結杆４が摺動可能に配設され、上下の鉤部材５、６の末端部に連結軸９、１０を介して連結杆４の上端と下端が連結され、連結杆４が上方に摺動することにより、鉤部材５、６は下側の解錠位置に傾動する。
【００１７】
なお、図２、図３に示すように、鉤部材５，６を枢支した支持板３の幅広部には、鉤部材５，６の凹部に対応した背後位置に当接支持部３ａが設けられ、前面枠３１が本体枠３０に対し閉じられ、鉤部材５，６が本体枠側の受け金具３４，３５に係止した状態で、その当接支持部３ａが受け金具３４，３５に当接可能とされ、不正行為によって前面枠３１が上方に持ち上げられ、不正解錠される不具合を防止している。
【００１８】
取付板２の上部と中間部と下部寄りに、山形のガイド支持部２ａが連結杆４をガイドするように、取付板を内側に切り起して形成されている。連結杆４はそのガイド支持部２ａと支持板３間に配設され、ガイド支持部２ａと支持板３により上下摺動可能にガイドされる。また、図５、図６のように、連結杆４の一部に長孔４ｂが穿設され、その長孔４ｂにガイドピン１２が挿通されて支持板３に固定され、連結杆４はガイドピン１２により長手方向に摺動可能にガイドされる。また、連結杆４の中間部には、後述のカム板１３の係合凸部１３ａに係合可能な係合部４ｃが形成されている。
【００１９】
さらに、図６に示すように、連結杆４の上部近傍には、シリンダ錠の解錠操作時に、鉤部材５，６を傾動状態に保持するために、傾動保持部材１６が取り付けられている。この連結杆４の上部には開口部４ａが形成され、その開口部４ａから係合部１６ｂを突出させる形態で、傾動保持部材１６が枢軸１６ｃにより揺動可能に且つ連結杆４を施錠状態で基枠体１に対し係止するように、連結杆４の一部に枢支されている。
【００２０】
傾動保持部材１６は略Ｃ字形に形成され、その先端に当接片１６ａが後述の本体枠側の当接部３６と当接可能に設けられ、その末端には係合部１６ｂが基枠体１の取付板２上に立設した係止部１１と係合可能に形成されている。この傾動保持部材１６には弱いばね力のコイルばね１７がその係合部１６ｂを係止部１１に係止させる方向に回動させるように、連結杆４との間に装着されている。すなわち、シリンダ錠１４を解錠方向に回し、カム板１３を介して連結杆４を上方に移動させ、鉤部材５，６を解錠状態に傾動させたとき、コイルばね１７のばね力によって傾動保持部材１６を係止側に回動させ、その位置の連結杆４を基枠体に対しロックして鉤部材５，６の解錠姿勢を保持するように、傾動保持部材１６は連結杆４に取り付けられている。
【００２１】
さらに、取付板２の中間部には、シリンダ錠１４を取り付けるための幅広部が形成され、その幅広部に円形孔が穿設され、その孔にシリンダ錠１４が背面側から挿入され、そのフランジ部を取付板２の内側にねじ止めして、シリンダ錠１４が取付板２上に取り付けられる。さらに、図４に示すように、支持板３と連結杆４との間に、スイッチ作動杆１５が摺動可能に配設される。また、このスイッチ作動杆１５は、後述のシリンダ錠１４によりカム板１３を左に回したとき、その係合凸部１３ｂに係合して下側に摺動し、作動スイッチ２１をオンオフ操作するように構成される。連結杆４とスイッチ作動杆１５の間にコイルばね１９が掛けられ、このコイルばね１９のばね力によって連結杆４は下側に付勢され、スイッチ作動杆１５は上側に付勢されている。
【００２２】
シリンダ錠１４は長尺のシリンダ部を有して形成され、その錠軸の先端が基枠体１の内側に突出しそこにカム板１３が固定される。図４に示すように、カム板１３には係合凸部１３ａと１３ｂが設けられ、連結杆４の対応箇所には、係合凸部１３ａと係合可能な係合部４ｃが設けられ、スイッチ作動杆１５にも係合凸部１３ｂと係合可能な係合凹部が設けられる。カム板１３の係合凸部１３ａはシリンダ錠１４のキーを右に回した時、連結杆４と係合して連結杆４を上方に移動させ、カム板１３の係合凸部１３ｂはキーを左に回した時、スイッチ作動杆１５と係合してこれを下方に摺動させる。
【００２３】
図４に示すように、取付板２の幅広部の下寄りに、連結杆４の下端部をその下降時に検出するように検出スイッチ２０が取り付けられている。検出スイッチ２０には、透過型の光電スイッチ、近接スイッチなどの非接触スイッチが使用され、施錠状態にある連結杆４を検知してその信号を出力すると共に、シリンダ錠１４の右回動操作によって連結杆４が解錠位置に移動したとき、連結杆４の端部が外れたことを検出してその信号を出力する。また、スイッチ作動杆１５の下端部に対向した位置に、上記と同様な非接触式の作動スイッチ２１が取付板２上に取り付けられ、シリンダ錠１４を左に回し、スイッチ作動杆１５が下に移動したとき、その端部を検知してリセット信号などの信号を出力する。
【００２４】
支持板３の下部の幅広部には、合成樹脂製のローラ１８が回転自在に軸支される。このローラ１８は、前面枠の閉鎖時に本体枠側のローラ受け上を転動して前面枠を支持するように設けられる。また、図２のように、支持板３と反対側の取付板２の側縁部には、縁部を直角に曲げて側壁２ｂが形成され、これによって、基枠体１を補強すると共に、カム板１３やその係合部分に、針金等を侵入させないようにしている。
【００２５】
このように構成された施錠装置は、図８に示すように、ゲーム機例えばスロットマシンの前面枠３１（前扉）の内側に基枠体１の取付板２を縦に固定して装着され、ゲーム機の本体枠３０側の対応位置に受け金具３３が取り付けられる。
【００２６】
受け金具３３は、図８のように、縦長の基板の上部と下部に、板状係止部３４，３５を突設して形成され、板状係止部３４，３５は施錠装置側の鉤部材５、６の対向位置に配置される。さらに、受け金具３３における傾動保持部材１６に対応した位置には、当接部３６が設けられ、その板状係止部３５の下側にはローラ受け３７が設けられる。また、受け金具３３の側部には、長尺の基板の側縁に沿った側縁部として隙間覆い部が設けられる。この隙間覆い部は、前面枠を閉じた時、本体枠との間に生じた隙間を、施錠装置の範囲で内側から覆って塞ぐように設けられる。
【００２７】
前面枠３１を本体枠３０に対し閉じる際には、先ず、キーによりシリンダ錠１４の錠軸を回して、上下の鉤部材５、６を傾動状態とする。所定のキーをシリンダ錠１４に挿入し、それを右に回すと、錠軸、カム板１３が同方向に回動し、カム板１３の係合凸部１３ａとの係合により連結杆４がコイルばね１９の付勢力に抗して上方に移動し、これにより、上下の鉤部材５、６が下側に傾動した状態となる。
【００２８】
このとき、連結杆４と共に傾動保持部材１６が上に移動するが、コイルばね１７の弱いばね力によって傾動保持部材１６は図５の時計方向に付勢されており、鉤部材５，６の傾動時には、同方向に僅かに回動して、傾動保持部材１６の下端の係合部１６ｂが基枠体１側の係止部１１に係合し、これによって、連結杆４は、図７のように上下の鉤部材５、６を傾動させた状態でロックされ静止する。
【００２９】
この状態で、図８のように、前面枠３１を本体枠３０に対し閉じると、傾動保持部材１６の先端の当接片１６ａが本体枠側の当接部３６に当たり、傾動保持部材１６が図８の反時計方向に僅かに回動する。これにより、傾動保持部材１６の係合部１６ｂと基枠体側の係止部１１との係合が外れ、連結杆４はコイルばね１９の付勢力により下側に移動する。これに伴い、上下の鉤部材５，６は、図８のように施錠側に回動して、図９に示すように受け金具３３の係止部３４，３５に係止され、施錠状態となる。この際、連結杆４が下方へ移動したとき、検出スイッチ２０がそれを検出して信号を出力し、前面枠３１の施錠が電気的に検出される。
【００３０】
一方、前面枠３１を開くために、所定のキーをシリンダ錠１４に挿入し、それを右に回すと、錠軸、カム板１３が同方向に回動し、カム板１３の係合凸部１３ａとの係合により連結杆４がコイルばね１９の付勢力に抗して上方に移動し、これにより、図１０のように、上下の鉤部材５、６が下側に傾動して、本体枠３０側の受け金具３３の係止部３４，３５との係合を外し、解錠状態となる。
【００３１】
解錠状態となると、図１０のように、前面枠３１が開放されるため、傾動保持部材１６の先端の当接片１６ａを押していた本体枠側の当接部３６が離れる。これにより、傾動保持部材１６は図１０の時計方向に僅かに回動し、傾動保持部材１６の係合部１６ｂが基枠体側の係止部１１に係合して、連結杆４がその上方位置で係止され、図１０のように、上下の鉤部材５，６は傾動姿勢を保持され、解錠状態が保持される。このような連結杆４の上方位置へ移動は、検出スイッチ２０によって検出され、その信号が出力されて前面枠３１の解錠が電気的に検出される。
【００３２】
そして、前面枠３１を閉じて再び施錠する場合、連結杆４は、上記のように上下の鉤部材５、６を傾動させた状態で、傾動保持部材１６の作動によりロックされ静止しているから、前面枠３１をそのまま閉じれば、上述の如く、傾動保持部材１６の先端の当接片１６ａが本体枠側の当接部３６に当たり、傾動保持部材１６が回動して、傾動保持部材１６の係合部１６ｂと基枠体側の係止部１１との係合が外れる。したがって、連結杆４はコイルばね１９の付勢力により下側に移動して、上下の鉤部材５，６が施錠側に回動して、図９のように受け金具３３の係止部３４，３５に係止され、施錠状態となる。
【００３３】
このように、前面枠３１を閉じて施錠する際、鉤部材５，６が傾動姿勢を保持した状態で、前面枠３１が閉鎖されるが、そのときに傾動保持部材１６が本体枠側の当接部３６に接触すると、傾動保持部材１６つまり連結杆４の基枠体１に対する係止が解除される。これによって、連結杆４はコイルばね１９のばね力により施錠方向に移動して鉤部材５，６が施錠側に回動し、受け金具３３に係止され、施錠状態となるから、従来の施錠装置のように、鉤部材の傾斜面が受け金具に当接したとき、連結杆を施錠側に付勢する強力なばね力に抗して鉤部材が受け金具を押して傾動するときの抵抗がなくなり、非常に僅かな力で、前面枠３１を閉じて施錠することができる。これにより、鉤部材５，６と受け金具３３の係止部３４，３５との間に従来のような大きな摩擦力は生じず、鉤部材５，６または受け金具３３の係止部３４，３５の摩耗を低減することができる。
【００３４】
また、基枠体１上に解錠・施錠状態を検出するための検出スイッチ２０を設け、摺動する連結杆４の端部を検知して施錠状態と解錠状態を検出する場合、キーを用いてシリンダ錠１４を解錠操作し、キーに加えた回動操作力をなくしてシリンダ錠を元の復帰位置に戻した場合でも、解錠位置に移動した連結杆１４はその状態を傾動保持部材１６により保持されるため、検出スイッチ２０は、前面枠３１が開放されている間、連結杆４の解錠姿勢を検出する信号を出し続ける。このため、従来のように、キーによりシリンダ錠の錠軸を回動して解錠した後、キーの回動操作力をなくした際に、連結杆がばね力により元の状態（施錠状態）に復帰することがなく、前面枠３１が解錠され開放されている間は、検出スイッチ２０が連結杆４の解錠姿勢を検出する信号を出し続けることができる。これにより、検出スイッチ２０からの検出信号を入力する管理用コンピュータなどは、ゲーム機の前面枠が解錠され開放された状態を正確に認識することができる。
【図面の簡単な説明】
【００３５】
【図１】本発明の一実施形態を示す施錠装置の正面図である。
【図２】同装置の右側面図である。
【図３】同装置の左側面図である。
【図４】同装置の背面図である。
【図５】同装置の分解右側面図である。
【図６】連結杆と傾動保持部材の分解右側面図である。
【図７】連結杆と鉤部材を傾動姿勢に保持した状態の右側面図である。
【図８】前面枠を閉じて施錠する際の使用状態を示す右側面図である。
【図９】前面枠を閉じて施錠した状態の使用状態を示す右側面図である。
【図１０】キーにより解錠操作を行なって解錠した状態の使用状態を示す右側面図である。
【符号の説明】
【００３６】
１−基枠体
２−取付板
２ａ−ガイド部
３−支持板
４−連結杆
４ａ−開口部
４ｃ−係合部
５、６−鉤部材
１１−係止部
１３−カム板
１４−シリンダ錠
１６−傾動保持部材
１６ａ−当接片
１６ｂ−係合部
１７−コイルばね
１９−コイルばね
２０−検出スイッチ
【図１】
2006042855.tif 000003
【図２】
2006042855.tif 000004
【図３】
2006042855.tif 000005
【図４】
2006042855.tif 000006
【図５】
2006042855.tif 000007
【図６】
2006042855.tif 000008
【図７】
2006042855.tif 000009
【図８】
2006042855.tif 000010
【図９】
2006042855.tif 000011
【図１０】
2006042855.tif 000012